(57)【要約】【課題】鳴動回数または鳴動時間が設定鳴動回数以下または設定鳴動時間以下のときに着信履歴情報として記録しないようにしてワン切り対策を施すこと。【解決手段】相手先からの着信呼を示すベル鳴動信号に応じてベルを鳴動するベル鳴動手段１２と、ベル鳴動信号に相当するベル鳴動回数を計測する鳴動回数計測手段Ｃと、ベル鳴動回数を予め設定された閾値と比較して判別する判別手段７と、判別手段７によりベル鳴動回数が閾値以下であると判別された場合、登録手段Ｍへの着信履歴の登録を禁止する登録禁止手段７と、を備えた。【選択図】      図１
2004336588.tif 000002
【特許請求の範囲】
【請求項１】
相手先からの着信履歴を登録手段に登録可能であるとともに、当該登録した着信履歴を表示手段に表示可能な電話機において、
前記相手先からの着信呼を示すベル鳴動信号に応じてベルを鳴動するベル鳴動手段と、
前記ベル鳴動信号に相当するベル鳴動回数を計測する鳴動回数計測手段と、
前記ベル鳴動回数を予め設定された閾値と比較して判別する判別手段と、
前記判別手段により前記ベル鳴動回数が閾値以下であると判別された場合、前記登録手段への着信履歴の登録を禁止する登録禁止手段と、
を備えたことを特徴とする電話機。
【請求項２】
相手先からの着信履歴を登録手段に登録可能であるとともに、当該登録した着信履歴を表示手段に表示可能な電話機において、
前記相手先からの着信呼を示すベル鳴動信号に応じてベルを鳴動するベル鳴動手段と、
前記ベル鳴動信号に相当するベル鳴動時間を計測する鳴動時間計測手段と、
前記ベル鳴動時間を予め設定された閾値と比較して判別する判別手段と、
前記判別手段により前記ベル鳴動時間が閾値以下であると判別された場合、前記登録手段への着信履歴の登録を禁止する登録禁止手段と、
を備えたことを特徴とする電話機。
【請求項３】
請求項１または２に記載の電話機において、
前記判別手段により前記ベル鳴動回数および前記ベル鳴動時間のいずれかが閾値以下の状態であると判別された場合、前記ベル鳴動手段によるベル鳴動を禁止するベル鳴動禁止手段を設けたことを特徴とする電話機。
【請求項４】
相手先からの着信履歴を登録手段に登録可能であるとともに、当該登録した着信履歴を表示手段に表示可能な電話機において、
前記相手先からの着信呼を示すベル鳴動信号に応じてベルを鳴動するベル鳴動手段と、
前記ベル鳴動信号に相当するベル鳴動回数を計測する鳴動回数計測手段と、
前記着信履歴から当該電話番号を発信するときに非通知で発信するか否かを、前記登録手段に登録されたベル鳴動回数と予め設定されたベル鳴動回数の閾値とを比較して判別する非通知発信判別手段と、
前記ベル鳴動回数が予め設定された閾値以下で回線が切れたとき、非通知で発信可能とする非通知発信手段と、
を備えたことを特徴とする電話機。
【請求項５】
相手先からの着信履歴を登録手段に登録可能であるとともに、当該登録した着信履歴を表示手段に表示可能な電話機において、
前記相手先からの着信呼を示すベル鳴動信号に応じてベルを鳴動するベル鳴動手段と、
前記ベル鳴動信号に相当するベル鳴動時間を計測する鳴動時間計測手段と、
前記着信履歴から当該電話番号を発信するときに非通知で発信するか否かを、前記登録手段に登録されたベル鳴動時間と予め設定されたベル鳴動時間の閾値とを比較して判別する非通知発信判別手段と、
前記ベル鳴動時間が予め設定された閾値以下で回線が切れたとき、非通知で発信可能とする非通知発信手段と、
を備えたことを特徴とする電話機。
【請求項６】
請求項４または５に記載の電話機において、
前記非通知発信手段は、非通知発信を解除する手段を備えたことを特徴とする電話機。
【請求項７】
相手先からの着信履歴を登録手段に登録可能であるとともに、当該登録した着信履歴を表示手段に表示可能な電話機に含まれるコンピュータを、
前記相手先からの着信呼を示すベル鳴動信号に応じてベルを鳴動するベル鳴動手段、
前記ベル鳴動信号に相当するベル鳴動回数を計測する鳴動回数計測手段、
前記ベル鳴動回数を予め設定された閾値と比較して判別する判別手段、
前記判別手段により前記ベル鳴動回数が閾値以下であると判別された場合、前記登録手段への着信履歴の登録を禁止する登録禁止手段、
として機能させることを特徴とする電話機用プログラム。
【請求項８】
相手先からの着信履歴を登録手段に登録可能であるとともに、当該登録した着信履歴を表示手段に表示可能な電話機に含まれるコンピュータを、
前記相手先からの着信呼を示すベル鳴動信号に応じてベルを鳴動するベル鳴動手段、
前記ベル鳴動信号に相当するベル鳴動時間を計測する鳴動時間計測手段、
前記ベル鳴動時間を予め設定された閾値と比較して判別する判別手段、
前記判別手段により前記ベル鳴動時間が閾値以下であると判別された場合、前記登録手段への着信履歴の登録を禁止する登録禁止手段、
として機能させることを特徴とする電話機用プログラム。
【請求項９】
相手先からの着信履歴を登録手段に登録可能であるとともに、当該登録した着信履歴を表示手段に表示可能な電話機に含まれるコンピュータを、
前記相手先からの着信呼を示すベル鳴動信号に応じてベルを鳴動するベル鳴動手段、
前記ベル鳴動信号に相当するベル鳴動回数を計測する鳴動回数計測手段、
前記着信履歴から当該電話番号を発信するときに非通知で発信するか否かを、前記登録手段に登録されたベル鳴動回数と予め設定されたベル鳴動回数の閾値とを比較して判別する非通知発信判別手段、
前記ベル鳴動回数が予め設定された閾値以下で回線が切れたとき、非通知で発信可能とする非通知発信手段、
として機能させることを特徴とする電話機用プログラム。
【請求項１０】
相手先からの着信履歴を登録手段に登録可能であるとともに、当該登録した着信履歴を表示手段に表示可能な電話機に含まれるコンピュータを、
前記相手先からの着信呼を示すベル鳴動信号に応じてベルを鳴動するベル鳴動手段、
前記ベル鳴動信号に相当するベル鳴動時間を計測する鳴動時間計測手段、
前記着信履歴から当該電話番号を発信するときに非通知で発信するか否かを、前記登録手段に登録されたベル鳴動時間と予め設定されたベル鳴動時間の閾値とを比較して判別する非通知発信判別手段、
前記ベル鳴動時間が予め設定された閾値以下で回線が切れたとき、非通知で発信可能とする非通知発信手段、
として機能させることを特徴とする電話機用プログラム。
【請求項１１】
請求項７乃至１０のいずれか一項に記載の電話機用プログラムが記録されていることを特徴とする情報記録媒体。
【発明の詳細な説明】
【０００１】
【発明の属する技術分野】
本発明は、発信者番号通知方式（例えば、ナンバーディスプレイ方式）に対応する電話機などのように相手先からの着信履歴を登録し、当該登録した着信履歴を表示手段に表示可能な電話機に関する。
【０００２】
【従来の技術】
従来、この種の電話機には、例えば特許文献１および特許文献２に開示されたものがある。
【０００３】
特許文献１に開示された発明は、通信回線に接続される表示部付主装置およびそれに接続される表示部付電話端末から成る電話装置において、表示部付主装置は、発信者番号通知方式の着信時に当該着信中の鳴動回数が設定鳴動回数を越えた場合、表示部付主装置内の電話帳データベースに当該発信者番号に対応する発信者情報の登録があれば当該発信者情報を着信先の表示部付電話端末に表示し、当該発信者番号に対応する発信者情報の登録が無ければ当該発信者番号を着信先の表示部付電話端末に表示する不在時着信情報表示制御を行うものである。
【０００４】
したがって、特許文献１に開示された発明によれば、不在時の着信の状況（不在時の着信の有無およびその発信者番号やそれに関連する発信者情報）を容易に確認することができる。
【０００５】
また、特許文献２に開示された発明は、情報通信端末のメモリに登録されていない電話番号を有する相手からの着信呼があったときには、あらかじめメモリに設定された非登録用画像を情報通信端末の表示部に表示させ、非通知通話モードの着信呼があったときには、あらかじめメモリに設定された非通知通話モード用画像を情報通信端末の表示部に表示させ、公衆電話からの着信呼があったときには、あらかじめメモリに設定された公衆電話用画像を情報通信端末の表示部に表示させるようにしたものである。
【０００６】
したがって、特許文献２に開示された発明によれば、電話がかかってきた際、情報通信端末の表示画面上の画像表示を見ることにより、情報通信端末内のメモリに登録されていない電話番号の相手からの電話か、非通知通話モードの電話か、公衆電話からの電話かが直ちに特定できる。
【特許文献１】
特開２００２−２７０３６
【特許文献２】
特開２００２−９９２９
【０００７】
【発明が解決しようとする課題】
ところで、最近携帯電話機において、１回のベル鳴動で切れ、その着信した着信履歴を呼び出して電話番号を表示させ、その電話番号にかけ直したところ、不要で悪質な迷惑電話に接続する、いわゆるワン切り電話（以下、単に「ワン切り」という。）が話題になっており、発信者番号通知方式に対応する電話機でも同様な問題が発生している。
【０００８】
しかしながら、上述した従来の特許文献１に開示された発明では、不在時の着信の状況（不在時の着信の有無よびその発信者番号やそれに関連する発信者情報）を容易に確認することができるものの、着信中の鳴動回数または鳴動時間が設定鳴動回数以下または設定鳴動時間以下のときに着信履歴情報として記録しないものではないため、上記ワン切り対策には適用できない。
【０００９】
また、上述した従来の特許文献２に開示された発明では、情報通信端末に登録している電話番号以外の電話番号から着信があった場合、予め設定された非登録用画像を情報通信端末に表示部に表示させるものであり、特許文献１に開示された発明と同様に、着信中の鳴動回数または鳴動時間が設定鳴動回数以下または設定鳴動時間以下のときに着信履歴情報として記録しないものではないため、上記ワン切り対策には適用できない。
【００１０】
本発明は、上記事情を考慮してなされたもので、その目的の一例としては、鳴動回数または鳴動時間が設定鳴動回数以下または設定鳴動時間以下のときに着信履歴情報として記録しないようにして上記ワン切り対策を施した電話機を提供することを目的とする。
【００１１】
【課題を解決するための手段】
上記課題を解決するため、請求項１に記載の電話機の発明は、相手先からの着信履歴を登録手段に登録可能であるとともに、当該登録した着信履歴を表示手段に表示可能な電話機において、前記相手先からの着信呼を示すベル鳴動信号に応じてベルを鳴動するベル鳴動手段と、前記ベル鳴動信号に相当するベル鳴動回数を計測する鳴動回数計測手段と、前記ベル鳴動回数を予め設定された閾値と比較して判別する判別手段と、前記判別手段により前記ベル鳴動回数が閾値以下であると判別された場合、前記登録手段への着信履歴の登録を禁止する登録禁止手段と、を備えたことを特徴とする。
【００１２】
請求項２に記載の電話機の発明は、相手先からの着信履歴を登録手段に登録可能であるとともに、当該登録した着信履歴を表示手段に表示可能な電話機において、前記相手先からの着信呼を示すベル鳴動信号に応じてベルを鳴動するベル鳴動手段と、前記ベル鳴動信号に相当するベル鳴動時間を計測する鳴動時間計測手段と、前記ベル鳴動時間を予め設定された閾値と比較して判別する判別手段と、前記判別手段により前記ベル鳴動時間が閾値以下であると判別された場合、前記登録手段への着信履歴の登録を禁止する登録禁止手段と、を備えたことを特徴とする。
【００１３】
請求項４に記載の電話機の発明は、相手先からの着信履歴を登録手段に登録可能であるとともに、当該登録した着信履歴を表示手段に表示可能な電話機において、前記相手先からの着信呼を示すベル鳴動信号に応じてベルを鳴動するベル鳴動手段と、前記ベル鳴動信号に相当するベル鳴動回数を計測する鳴動回数計測手段と、前記着信履歴から当該電話番号を発信するときに非通知で発信するか否かを、前記登録手段に登録されたベル鳴動回数と予め設定されたベル鳴動回数の閾値とを比較して判別する非通知発信判別手段と、前記ベル鳴動回数が予め設定された閾値以下で回線が切れたとき、非通知で発信可能とする非通知発信手段と、を備えたことを特徴とする。
【００１４】
請求項５に記載の電話機の発明は、相手先からの着信履歴を登録手段に登録可能であるとともに、当該登録した着信履歴を表示手段に表示可能な電話機において、前記相手先からの着信呼を示すベル鳴動信号に応じてベルを鳴動するベル鳴動手段と、前記ベル鳴動信号に相当するベル鳴動時間を計測する鳴動時間計測手段と、前記着信履歴から当該電話番号を発信するときに非通知で発信するか否かを、前記登録手段に登録されたベル鳴動時間と予め設定されたベル鳴動時間の閾値とを比較して判別する非通知発信判別手段と、前記ベル鳴動時間が予め設定された閾値以下で回線が切れたとき、非通知で発信可能とする非通知発信手段と、を備えたことを特徴とする。
【００１５】
また、請求項７に記載の電話機用プログラムは、相手先からの着信履歴を登録手段に登録可能であるとともに、当該登録した着信履歴を表示手段に表示可能な電話機に含まれるコンピュータを、前記相手先からの着信呼を示すベル鳴動信号に応じてベルを鳴動するベル鳴動手段、前記ベル鳴動信号に相当するベル鳴動回数を計測する鳴動回数計測手段、前記ベル鳴動回数を予め設定された閾値と比較して判別する判別手段、前記判別手段により前記ベル鳴動回数が閾値以下であると判別された場合、前記登録手段への着信履歴の登録を禁止する登録禁止手段、として機能させることを特徴とする。
【００１６】
請求項８に記載の電話機用プログラムは、相手先からの着信履歴を登録手段に登録可能であるとともに、当該登録した着信履歴を表示手段に表示可能な電話機に含まれるコンピュータを、前記相手先からの着信呼を示すベル鳴動信号に応じてベルを鳴動するベル鳴動手段、前記ベル鳴動信号に相当するベル鳴動時間を計測する鳴動時間計測手段、前記ベル鳴動時間を予め設定された閾値と比較して判別する判別手段、前記判別手段により前記ベル鳴動時間が閾値以下であると判別された場合、前記登録手段への着信履歴の登録を禁止する登録禁止手段、として機能させることを特徴とする。
【００１７】
請求項９に記載の電話機用プログラムは、相手先からの着信履歴を登録手段に登録可能であるとともに、当該登録した着信履歴を表示手段に表示可能な電話機に含まれるコンピュータを、前記相手先からの着信呼を示すベル鳴動信号に応じてベルを鳴動するベル鳴動手段、前記ベル鳴動信号に相当するベル鳴動回数を計測する鳴動回数計測手段、前記着信履歴から当該電話番号を発信するときに非通知で発信するか否かを、前記登録手段に登録されたベル鳴動回数と予め設定されたベル鳴動回数の閾値とを比較して判別する非通知発信判別手段、前記ベル鳴動回数が予め設定された閾値以下で回線が切れたとき、非通知で発信可能とする非通知発信手段、として機能させることを特徴とする。
【００１８】
請求項１０に記載の電話機用プログラムは、相手先からの着信履歴を登録手段に登録可能であるとともに、当該登録した着信履歴を表示手段に表示可能な電話機に含まれるコンピュータを、前記相手先からの着信呼を示すベル鳴動信号に応じてベルを鳴動するベル鳴動手段、前記ベル鳴動信号に相当するベル鳴動時間を計測する鳴動時間計測手段、前記着信履歴から当該電話番号を発信するときに非通知で発信するか否かを、前記登録手段に登録されたベル鳴動時間と予め設定されたベル鳴動時間の閾値とを比較して判別する非通知発信判別手段、前記ベル鳴動時間が予め設定された閾値以下で回線が切れたとき、非通知で発信可能とする非通知発信手段、として機能させることを特徴とする。
【００１９】
さらに、請求項１１に記載の情報記録媒体の発明は、請求項７乃至１０のいずれか一項に記載の電話機用プログラムが記録されていることを特徴とする。
【００２０】
【発明の実施の形態】
以下、本願の実施形態について、図面を参照しながら説明する。
【００２１】
（第１実施形態）
図１は、第１実施形態の電話機（コードレス電話）の構成を示すブロック図である。なお、以下に説明する実施形態の電話機は、相手先からの着信履歴をメモリに登録可能であって、当該登録した着信履歴を表示手段に表示可能なものとする。また、本実施形態の電話機は、インターネットとの接続を可能とするモデムを備え、キースイッチからキー操作することにより電子メールの送受信などを実行することができるものである。
【００２２】
図１に示すように、本実施形態の電話機は、外線接続端子Ｌ１，Ｌ２に入力される外線着信信号および受信信号を検波する検波回路１と、電話機と外線との回線接続を制御する回線制御回路２と、この回線制御回路２を介して入力されてくる受信信号を後述する他の回路への送出や外線への送話信号の送出を行う通話回路３と、この通話回路３を介して入力されてくる受信信号や外線に送出する送話信号の音声処理を行うとともに、後述するＣＰＵに対してモデムとして機能するＤＳＰ（Ｄｉｇｉｔａｌ  Ｓｉｇｎａｌ  Ｐｒｏｃｅｓｓｏｒ）４と、図示しない子機との間でＭＣＡ（マルチ・チャンネル・アクセス）方式による無線通話回路を構成する無線送受信回路５と、子機との間で無線の送受信を行うアンテナ６と、回線制御回路２、通話回路３、ＤＳＰ４および無線送受信回路５に接続されて後述するような各回路の作動制御を行うＣＰＵ７と、このＣＰＵ７に接続されて電話番号などのデータ入力や電話機操作を行うキースイッチ８と、ＣＰＵ７に接続されたドライバ９と、このドライバ９によって駆動される液晶パネルや有機ＥＬなどの表示手段としてのディスプレイ１０とを備えている。
【００２３】
また、ＣＰＵ７は、受信信号としてのベル鳴動信号に相当するベル鳴動回数を計測する鳴動回数計測手段としてのカウンターＣと、受信信号としてのベル鳴動信号に相当するベル鳴動時間を計測する鳴動時間計測手段としてのタイマーＴとを備えている。
【００２４】
さらに、ＣＰＵ７には、登録手段としてのメモリＭが接続されており、このメモリＭには相手先に発信した発信履歴情報や相手先からの着信履歴情報などの各種の情報が登録される他、後述するベル鳴動信号に相当するベル鳴動回数の閾値が予め設定されて記憶される鳴動回数記憶領域Ｍ１と、ベル鳴動信号に相当するベル鳴動時間の閾値が予め設定されて記憶される鳴動時間記憶領域Ｍ２とが設けられている。このメモリＭは、例えばフラッシュメモリにより構成される。
【００２５】
なお、図１中、１１は外線接続端子Ｌ１，Ｌ２から入力されてくる相手先からの着信呼を示す外線着信信号を検出するリング回路であり、１２はこのリング回路１１による外線着信信号の検出によって呼出音（ベル）を発生させるベル鳴動手段としてのモニタスピーカであり、１３はオンフックモード時にハンズフリーによる通話を行うためのマイクであり、１４は子機を置いたままで通話するためのオンフックモードへの切り換えを行うオンフックスイッチである。
【００２６】
上記のように、本実施形態の電話機ではＣＰＵ７に対してモデムとして機能するＤＳＰ４などを介して、メールの送受信を実行することができる。メールの送受信に関する情報、例えば、送受信されたメール文章などの情報を記憶するメモリはメモリＭに含まれ、このメモリＭにメール文章などの情報を記憶する。また、本実施形態の電話機では、キースイッチ８を操作することにより、インターネットを利用した各種情報の取得や、電子メールの送受信に関する動作の指示を行うことができる。
【００２７】
さらに、ディスプレイ１０には、相手先に発信した発信履歴情報や相手先からの着信履歴情報などの各種の情報が表示される他、インターネットを利用した各種情報の取得や、電子メールの送受信に必要な情報が表示される。なお、図１の構成ではＤＳＰ４にモデム機能を担うようにしたが、モデムを別途設けるようにしてもよい。例えば、図１において検波回路１の出力にリレーなどのスイッチ回路を接続し、このスイッチ回路の出力側に回線制御回路２とモデムを並列接続するように構成する。モデムは例えば専用ＩＣを用いる。
【００２８】
次に、図２を参照して、本実施形態の電話機におけるワン切り対策の処理について説明する。
【００２９】
図２は、ベルの鳴動回数または鳴動時間を予め設定しておき、これら予め設定したベル鳴動回数またはベル鳴動時間を閾値としてメモリＭの回数記憶領域Ｍ１または時間記憶領域Ｍ２に登録しておき、その鳴動回数または鳴動時間に満たない場合には、着信履歴にも登録せず、ベル鳴動を行わないようにした場合の処理を示すフローチャートである。この処理はＣＰＵ７の制御により実行される。
【００３０】
図２に示すように、ステップＳ１では、相手先からの着信呼を示すベル鳴動信号が入力されるまで待機し、ベル鳴動信号が入力された場合（ステップＳ１；ＹＥＳ）、そのベル鳴動信号に相当するベル鳴動回数とベル鳴動時間がそれぞれＣＰＵ７のカウンターＣとタイマーＴにより計測される（ステップＳ２）。
【００３１】
ステップＳ３では、本願の判断手段を構成し、上記ベル鳴動回数またはベル鳴動時間の計測値と、予め設定されたベル鳴動回数の閾値またはベル鳴動時間の閾値とを比較して判断される。ここで、上記ベル鳴動回数の閾値、ベル鳴動時間の閾値は、それぞれメモリＭ内の回数記憶領域Ｍ１、時間記憶領域Ｍ２に記憶されており、本実施形態においてベル鳴動回数の閾値が２回以下、ベル鳴動時間の閾値が６秒以内と設定されている。ベル鳴動回数の計測値が２回以下またはベル鳴動時間の計測値が６秒以下であると判別された場合（ステップＳ３；ＮＯ）には、ステップＳ４に進む一方、ベル鳴動回数の計測値が２回を超えまたはベル鳴動時間の計測値が６秒を超えると判別された場合（ステップＳ３；ＹＥＳ）には、ステップＳ６に進む。
【００３２】
ステップＳ４は、本願の登録禁止手段を構成し、ベル鳴動回数の計測値が２回以下またはベル鳴動時間の計測値が６秒以下であることからワン切りであるということが判り、着信履歴への登録を禁止する。これにより、ディスプレイ１０には相手先の着信履歴情報が表示されないこととなり、ワン切りに確実に対処することができる。
【００３３】
ステップＳ５は、本願のベル鳴動禁止手段を構成し、ステップＳ４と同様にベル鳴動回数の計測値が２回以下またはベル鳴動時間の計測値が６秒以下であることからワン切りであるということが判り、モニタスピーカ１２は相手先からの着信呼を示すベル鳴動信号に応じたベルの鳴動を行わないようにしている。
【００３４】
一方、ステップＳ６は、ステップＳ５でベル鳴動回数の計測値が２回を超えまたはベル鳴動時間の計測値が６秒を超えると判別され、ワン切りでない通常の着信呼であるため、使用している電話機がナンバーディスプレイ対応のものかを判断する。すなわち、ステップＳ６では発信者番号通知方式に対応可能な電話機であるか否かを判断する。ナンバーディスプレイ対応の電話機である場合（ステップＳ６；ＹＥＳ）には、ステップＳ７に進む一方、ナンバーディスプレイ対応の電話機でない場合（ステップＳ６；ＮＯ）には、ステップＳ８に進む。
【００３５】
ステップＳ７では、ナンバーディスプレイ対応の電話機である場合あるため、相手先からの着信履歴をメモリＭに登録した後、ステップＳ８において相手先からの着信呼を示すベル鳴動信号に応じてモニタスピーカ１２からベルを鳴動する。また、ナンバーディスプレイ対応の電話機でない場合には、着信履歴をメモリＭに登録する必要がないため、ステップＳ８において相手先からの着信呼を示すベル鳴動信号に応じてモニタスピーカ１２から直接ベルを鳴動する。
【００３６】
したがって、上記図２の処理では、ベル鳴動回数の計測値が２回以下またはベル鳴動時間の計測値が６秒以下である場合、ワン切りと判別し着信履歴への登録を禁止し、かつモニタスピーカ１２からベルを鳴動しないようにしている。
【００３７】
以上説明したように、本実施形態によれば、相手先からの着信呼を示すベル鳴動信号に応じてベルを鳴動するモニタスピーカ１２と、ベル鳴動信号に相当するベル鳴動回数を計測するカウンターＣと、そのベル鳴動回数を予め設定された閾値と比較して判別するＣＰＵ７とを備え、ＣＰＵ７によりベル鳴動回数が閾値以下であると判別された場合、メモリＭへの着信履歴の登録を禁止するとともに、モニタスピーカ１２によるベル鳴動を禁止することにより、ワン切り対策に有効な電話機を提供することができる。
【００３８】
また、本実施形態によれば、相手先からの着信呼を示すベル鳴動信号に応じてベルを鳴動するモニタスピーカ１２と、ベル鳴動信号に相当するベル鳴動時間を計測するタイマーＴと、そのベル鳴動時間を予め設定された閾値と比較して判別するＣＰＵ７とを備え、ＣＰＵ７によりベル鳴動時間が閾値以下であると判別された場合、メモリＭへの着信履歴の登録を禁止するとともに、モニタスピーカ１２によるベル鳴動を禁止することにより、ワン切り対策に有効な電話機を提供することができる。
【００３９】
（第２実施形態）
次に、図３を参照して、第２実施形態の電話機におけるワン切り対策の処理について説明する。なお、本実施形態の電話機の構成は、図１に示す構成と同様であるので省略し、異なるワン切り対策の処理のみを説明する。その他の実施形態も同様である。
【００４０】
図３は、ベルの鳴動回数または鳴動時間を予め設定しておき、これら予め設定したベル鳴動回数またはベル鳴動時間を閾値としてメモリＭの回数記憶領域Ｍ１または時間記憶領域Ｍ２に登録しておき、その鳴動回数または鳴動時間に満たない場合には、着信履歴に登録しないようにした場合の処理を示すフローチャートである。この処理は、予め設定したベル鳴動回数またはベル鳴動時間の閾値に満たない場合でもベル鳴動を行うようにしたことが図２に示す処理と異なる。
【００４１】
図３に示すように、ステップＳ１１では、相手先からの着信呼を示すベル鳴動信号が入力されるまで待機し、ベル鳴動信号が入力される（ステップＳ１１；ＹＥＳ）と、そのベル鳴動信号に相当するベル鳴動回数またはベル鳴動時間は、それぞれＣＰＵ７のカウンターＣとタイマーＴにより計測される（ステップＳ１２）。
【００４２】
ステップＳ１３では、上記ベル鳴動回数またはベル鳴動時間の計測値と、予め設定されたベル鳴動回数の閾値またはベル鳴動時間の閾値とを比較して判断される。ここで、上記ベル鳴動回数の閾値、ベル鳴動時間の閾値は、それぞれ回数記憶領域Ｍ１、時間記憶領域Ｍ２に記憶されており、本実施形態においてベル鳴動回数の閾値が２回以下、ベル鳴動時間の閾値が６秒以内と設定されている。ベル鳴動回数の計測値が２回以下またはベル鳴動時間の計測値が６秒以下であると判別された場合（ステップＳ１３；ＮＯ）には、ステップＳ１６に進む一方、ベル鳴動回数の計測値が２回を超えまたはベル鳴動時間の計測値が６秒を超えると判別された場合（ステップＳ１３；ＹＥＳ）には、ステップＳ１４に進む。
【００４３】
ステップＳ１４は、ステップＳ１３においてベル鳴動回数の計測値が２回を超えまたはベル鳴動時間の計測値が６秒を超えると判別され、ワン切りでない通常の着信呼であるため、使用している電話機がナンバーディスプレイ対応のものかを判断する。すなわち、ステップＳ１４では発信者番号通知方式に対応可能な電話機であるか否かを判断する。ナンバーディスプレイ対応の電話機である場合（ステップＳ１４；ＹＥＳ）には、ステップＳ１５に進む一方、ナンバーディスプレイ対応の電話機でない場合（ステップＳ１４；ＮＯ）には、ステップＳ１６に進む。
【００４４】
ステップＳ１５では、ナンバーディスプレイ対応の電話機である場合あるため、相手先からの着信履歴をメモリＭに登録した後、ステップＳ１６において相手先からの着信呼を示すベル鳴動信号に応じてモニタスピーカ１２からベルを鳴動する。
【００４５】
また、ベル鳴動回数の計測値が２回以下またはベル鳴動時間の計測値が６秒以下であると判別された場合（ステップＳ１３；ＮＯ）、ナンバーディスプレイ対応の電話機でない場合（ステップＳ１４；ＮＯ）には、着信履歴をメモリＭに登録する必要がないため、ステップＳ１６において相手先からの着信呼を示すベル鳴動信号に応じてモニタスピーカ１２から直接ベルを鳴動する。
【００４６】
したがって、上記図３の処理では、ベル鳴動回数の計測値が２回以下またはベル鳴動時間の計測値が６秒以下である場合、ベルは鳴動させるものの、ワン切りと判別し着信履歴への登録を禁止するようにしている。
【００４７】
以上説明したように、本実施形態によれば、相手先からの着信呼を示すベル鳴動信号に応じてベルを鳴動するモニタスピーカ１２と、ベル鳴動信号に相当するベル鳴動回数を計測するカウンターＣと、そのベル鳴動回数を予め設定された閾値と比較して判別するＣＰＵ７とを備え、ＣＰＵ７によりベル鳴動回数が閾値以下であると判別された場合、メモリＭへの着信履歴の登録を禁止することにより、ベルは鳴動させるものの、ワン切り対策に有効な電話機を提供することができる。
【００４８】
また、本実施形態によれば、相手先からの着信呼を示すベル鳴動信号に応じてベルを鳴動するモニタスピーカ１２と、ベル鳴動信号に相当するベル鳴動時間を計測するタイマーＴと、そのベル鳴動時間を予め設定された閾値と比較して判別するＣＰＵ７とを備え、ＣＰＵ７によりベル鳴動時間が閾値以下であると判別された場合、メモリＭへの着信履歴の登録を禁止することにより、ベルは鳴動させるものの、ワン切り対策に有効な電話機を提供することができる。
【００４９】
（第３実施形態）
次に、図４および図５を参照して、第３実施形態の電話機におけるワン切り対策の処理について説明する。
【００５０】
この処理は、メモリＭに着信履歴としてベル鳴動回数またはベル鳴動時間を登録する一方、予め設定したベル鳴動回数またはベル鳴動時間の閾値をそれぞれ回数記憶領域Ｍ１、時間記憶領域Ｍ２に記憶しておき、着信履歴に登録した鳴動回数または鳴動時間が予め設定した閾値に満たない場合、その着信履歴からの発信は警告画面または非通知にするための選択画面を表示する処理である。図４は着信履歴への登録処理を示すフローチャート、図５は発信時の処理を示すフローチャートである。
【００５１】
図４に示すように、ステップＳ２１では、相手先からの着信呼を示すベル鳴動信号が中断されたか否かを判断し、ベル鳴動信号が中断されない場合（ステップＳ２１；ＮＯ）には、図４の登録処理を終了する一方、ベル鳴動信号が中断された場合（ステップＳ２１；ＹＥＳ）には、ステップＳ２２に進む。
【００５２】
ステップＳ２２では、使用している電話機がナンバーディスプレイ対応のものかを判断する。すなわち、ステップＳ２２では発信者番号通知方式に対応可能な電話機であるか否かを判断する。ナンバーディスプレイ対応の電話機である場合（ステップＳ２２；ＹＥＳ）には、ステップＳ２３に進む一方、ナンバーディスプレイ対応の電話機でない場合（ステップＳ２２；ＮＯ）には、図４の登録処理を終了する。
【００５３】
ステップＳ２３では、相手先からの着信呼を示すベル鳴動信号に相当するベル鳴動回数またはベル鳴動時間を、それぞれＣＰＵ７のカウンターＣとタイマーＴにより計測してメモリＭに記憶することにより、登録処理を終了する。
【００５４】
次に、発信時の処理を図５に基づいて説明する。
【００５５】
図５に示すように、ステップＳ３１では、図４に示す処理にて登録した着信履歴から発信する場合か否かを判断し、着信履歴から発信する場合にステップＳ３２に進む。
【００５６】
ステップＳ３２は、本願の非通知発信判断手段を構成し、図４に示す処理にてメモリＭに着信履歴として登録したベル鳴動回数またはベル鳴動時間と、予め設定したベル鳴動回数またはベル鳴動時間の閾値とを比較し、着信履歴に登録した鳴動回数または鳴動時間が予め設定した閾値を超えた場合（ステップＳ３２；ＮＯ）には、ステップＳ３６のダイヤル発信処理に進む一方、着信履歴に登録した鳴動回数または鳴動時間が予め設定した閾値に満たない場合（ステップＳ３２；ＹＥＳ）には、ステップＳ３３に進む。
【００５７】
ステップＳ３３では、着信履歴に登録した鳴動回数または鳴動時間が予め設定した閾値に満たない場合をワン切りとみなし、発信時の相手先への警告画面や非通知にする旨の選択画面を表示する。
【００５８】
ステップＳ３４では、強制発信するか否かを判断し、強制発信する場合（ステップＳ３４；ＹＥＳ）には、ステップＳ３６のダイヤル発信処理に進む一方、強制発信しない場合（ステップＳ３４；ＮＯ）には、ステップＳ３５に進む。
【００５９】
ステップＳ３５では、停止するか否かを判断し、停止する場合（ステップＳ３５；ＹＥＳ）には、図５の発信処理を終了する一方、停止しない場合にはステップＳ３４に戻る。そして、ステップＳ３６でダイヤル発信して全体の処理を終了する。ここで、ステップＳ３４およびステップＳ３６の処理が本願の非通知発信手段を構成する。
【００６０】
以上説明したように、本実施形態によれば、相手先からの着信呼を示すベル鳴動信号に応じてベルを鳴動するモニタスピーカ１２と、ベル鳴動信号に相当するベル鳴動回数を計測するカウンターＣと、着信履歴から当該電話番号を発信するときに非通知で発信するか否かを、メモリＭに登録されたベル鳴動回数と予め設定されたベル鳴動回数の閾値とを比較して判別するＣＰＵ７と、ベル鳴動回数が予め設定された閾値以下で回線が切れたとき、非通知で発信可能とすることにより、ベルは鳴動するものの、ワン切り対策に有効な電話機を提供することができる。
【００６１】
また、本実施形態によれば、相手先からの着信呼を示すベル鳴動信号に応じてベルを鳴動するモニタスピーカ１２と、ベル鳴動信号に相当するベル鳴動時間を計測するタイマーＴと、着信履歴から当該電話番号を発信するときに非通知で発信するか否かを、メモリＭに登録されたベル鳴動時間と予め設定されたベル鳴動時間の閾値とを比較して判別するＣＰＵ７と、ベル鳴動時間が予め設定された閾値以下で回線が切れたとき、非通知で発信可能とすることにより、ベルは鳴動するものの、ワン切り対策に有効な電話機を提供することができる。
【００６２】
なお、図２乃至図５に示すフローチャートに対応するプログラムを、フレキシブルディスク又はハードディスクなどの情報記録媒体に記録させておき、或いは当該プログラムをインターネットなどのネットワークを介して取得した後に記録しておき、これらを汎用のマイクロコンピュータなどにより読み出して実行することにより、当該マイクロコンピュータを実施形態に係るＣＰＵ７として機能させることが可能である。
【００６３】
また、本願は上記各実施形態に限定されることなく、種々の変更が可能である。例えば、上記各実施形態では、電話機としてコードレス電話に適用したが、これ以外に携帯電話機などにも適用可能である。
【図面の簡単な説明】
【図１】第１実施形態の電話機の構成を示すブロック図である。
【図２】本実施形態の電話機におけるワン切り対策の処理を示すフローチャートである。
【図３】第２実施形態の電話機におけるワン切り対策の処理を示すフローチャートである。
【図４】第３実施形態の電話機における着信履歴への登録処理を示すフローチャートである。
【図５】第３実施形態の電話機における発信時の処理を示すフローチャートである。
【符号の説明】
１  検波回路
２  回線制御回路
３  通話回路
４  ＤＳＰ
７  ＣＰＵ
８  キースイッチ
９  ドライバ
１０  ディスプレイ
１２  モニタスピーカ
Ｃ  カウンター
Ｔ  タイマー
Ｍ  メモリ
Ｍ１  鳴動回数記憶領域
Ｍ２  鳴動時間記憶領域
【図１】
2004336588.tif 000003
【図２】
2004336588.tif 000004
【図３】
2004336588.tif 000005
【図４】
2004336588.tif 000006
【図５】
2004336588.tif 000007